(57)【特許請求の範囲】
【請求項１】
利用者が画像の編集を行うときに用いる持ち運び可能な編集端末が複数用意される写真シール自販機において、
複数の前記編集端末のそれぞれについて、前記編集端末が用意されている位置に固定され、貸し出し可能な状態にあるか否かを表す情報を記憶する記憶手段と、
前記利用者を被写体として撮影を行う撮影手段と、
撮影が終了したとき、前記記憶手段に記憶されている情報に基づいて、貸し出し可能な状態にある前記編集端末の数を、前記利用者に貸し出すことが可能な最大の前記編集端末の数として決定する決定手段と、
前記決定手段により決定された数の前記編集端末のうちの所定の数の前記編集端末を、それが用意されている位置から取り外し可能にする制御手段と
を備えることを特徴とする写真シール自販機。
【請求項２】
前記編集端末を着脱する着脱手段をさらに備え、
前記制御手段は、前記着脱手段を制御することによって、前記編集端末を取り外し可能にする
請求項１に記載の写真シール自販機。
【請求項３】
前記制御手段は、追加された料金に応じて、取り外し可能とする前記編集端末の数を選択する
請求項１または２に記載の写真シール自販機。
【請求項４】
前記決定手段により決定された、貸し出すことが可能な最大の前記編集端末の数を含む、前記編集端末の貸し出しを案内する第１のメッセージを表示する表示手段をさらに備える
請求項１乃至３のいずれかに記載の写真シール自販機。
【請求項５】
前記表示手段は、前記制御手段により取り外し可能とされる前記編集端末のそれぞれの識別情報を含む、前記編集端末の貸し出しを案内する第２のメッセージを前記第１のメッセージに替えて表示する
請求項４に記載の写真シール自販機。
【請求項６】
前記制御手段により取り外し可能とされた前記編集端末と通信を行い、前記撮影手段により撮影された画像を編集対象の画像として転送する転送手段をさらに備える
請求項１乃至５のいずれかに記載の写真シール自販機。
【請求項７】
前記制御手段により取り外し可能とされた複数の前記編集端末のそれぞれと通信を行い、前記編集対象の画像の編集に用いるツールのデータとして、１台の前記編集端末が編集に用いられているときに配信する前記ツールのデータとは異なる前記ツールのデータを配信する配信手段をさらに備える
請求項６に記載の写真シール自販機。
【請求項８】
利用者が画像の編集を行うときに用いる持ち運び可能な編集端末が複数用意される写真シール自販機の制御方法において、
複数の前記編集端末のそれぞれについて、前記編集端末が用意されている位置に固定され、貸し出し可能な状態にあるか否かを表す情報を記憶手段に記憶する記憶ステップと、
前記利用者を被写体として撮影を行う撮影ステップと、
撮影が終了したとき、前記記憶手段に記憶されている情報に基づいて、貸し出し可能な状態にある前記編集端末の数を、前記利用者に貸し出すことが可能な最大の前記編集端末の数として決定する決定ステップと、
前記決定ステップの処理により決定された数の前記編集端末のうちの所定の数の前記編集端末を、それが用意されている位置から取り外し可能にする制御ステップと
を含むことを特徴とする制御方法。
【発明の詳細な説明】
【技術分野】
【０００１】
本発明は、写真シール自動販売機、制御方法に関し、特に、撮影を終えた利用者に貸し出すことが可能な編集端末の数を決定することができるようにした写真シール自動販売機、制御方法に関する。
【背景技術】
【０００２】
撮影して表示される自分自身の画像に、タッチペンを用いて文字などの落書きを施したり、或いは、スタンプと呼ばれる、予め用意されたマークを合成するなどして編集し、その編集結果の画像が印刷されたシール紙を受け取ることができるゲーム機（いわゆる「プリント倶楽部（登録商標）」と呼ばれる写真シール自動販売機）が人気を博している。
【０００３】
この写真シール自動販売機は、一般的には、利用者の回転をよくするために、撮影と編集を行うための一連のプレイ時間（利用時間）に制限が設定されている。そこで、特に、編集のための時間を、より長く確保することができるようにするため、写真シール自動販売機の筐体の正面側と背面側に、それぞれ撮影空間と編集空間を分離して設け、撮影を終えた利用者を編集空間に案内し、そこで編集を行わせるような構成を有する写真シール自動販売機も提案されている（特許文献１）。
【０００４】
また、撮影からシール紙を受け取るまでの一連の遊技をスムーズに行うことができるようにするものとしては、特許文献２に開示されているような、撮影場所と、シール紙の受け取り場所とを比較的離した場所に設置し、撮影を終えた利用者を移動させるようにしている遊戯施設もある。この遊戯施設においては、利用者が携帯ユニットを持ち運び、ゲームを進行するようになされている。
【先行技術文献】
【特許文献】
【０００５】
【特許文献１】特開２００２−３３０４３０号公報
【特許文献２】特開２０００−２２９１８１号公報
【発明の概要】
【発明が解決しようとする課題】
【０００６】
しかしながら、上述したような従来の写真シール自動販売機では、撮影画像を編集するための時間を十分に確保できていないという課題があった。
【０００７】
例えば、特許文献１に開示されている写真シール自動販売機においては、撮影を終了した利用者が編集空間に移動し、そこで編集を行っている間に、筐体の反対側の撮影空間で後続の利用者が撮影を開始した場合、その編集時間に制限がかけられてしまう。
【０００８】
また、編集の時間を十分に確保するためには、特許文献２に開示されているように、それぞれの装置を比較的離れた場所に設置し、利用者を順次移動させるようにすることも考えられるが、その場合、遊戯施設を用意するための広い設置スペースが必要となる。このことは、上述したような写真シール自動販売機が、例えば、ゲームセンタなどの一角の限られたスペースに設置されることが一般的であることからすれば現実的ではない。
【０００９】
本発明は、このような状況に鑑みてなされたものであり、撮影画像を編集するための時間を、より長く確保することができるようにするものである。また、撮影を終えた利用者に貸し出すことが可能な編集端末の数を決定することができるようにするものである。
【課題を解決するための手段】
【００１０】
本発明の写真シール自販機は、利用者が画像の編集を行うときに用いる持ち運び可能な編集端末が複数用意される写真シール自販機において、複数の前記編集端末のそれぞれについて、前記編集端末が用意されている位置に固定され、貸し出し可能な状態にあるか否かを表す情報を記憶する記憶手段と、前記利用者を被写体として撮影を行う撮影手段と、撮影が終了したとき、前記記憶手段に記憶されている情報に基づいて、貸し出し可能な状態にある前記編集端末の数を、撮影を終えた前記利用者に貸し出すことが可能な最大の前記編集端末の数として決定する決定手段と、前記決定手段により決定された数の前記編集端末のうちの所定の数の前記編集端末を、それが用意されている位置から取り外し可能にする制御手段とを備えることを特徴とする。
【００１１】
前記編集端末を着脱する着脱手段をさらに設けることができる。前記制御手段には、前記着脱手段を制御することによって、前記編集端末を取り外し可能にさせることができる。
【００１２】
前記制御手段には、追加された料金に応じて、取り外し可能とする前記編集端末の数を選択させることができる。
【００１３】
前記決定手段により決定された、貸し出すことが可能な最大の前記編集端末の数を含む、前記編集端末の貸し出しを案内する第１のメッセージを表示する表示手段をさらに備えるようにすることができる。
【００１４】
前記表示手段には、前記制御手段により取り外し可能とされる前記編集端末のそれぞれの識別情報を含む、前記編集端末の貸し出しを案内する第２のメッセージを前記第１のメッセージに替えて表示させることができる。
【００１５】
前記制御手段により取り外し可能とされた前記編集端末と通信を行い、前記撮影手段により撮影された画像を編集対象の画像として転送する転送手段をさらに備えるようにすることができる。
【００１６】
前記制御手段により取り外し可能とされた複数の前記編集端末のそれぞれと通信を行い、前記編集対象の画像の編集に用いるツールのデータとして、１台の前記編集端末が編集に用いられているときに配信する前記ツールのデータとは異なる前記ツールのデータを配信する配信手段をさらに備えるようにすることができる。
【００１７】
本発明の制御方法は、利用者が画像の編集を行うときに用いる持ち運び可能な編集端末が複数用意される写真シール自販機の制御方法において、複数の前記編集端末のそれぞれについて、前記編集端末が用意されている位置に固定され、貸し出し可能な状態にあるか否かを表す情報を記憶手段に記憶する記憶ステップと、前記利用者を被写体として撮影を行う撮影ステップと、撮影が終了したとき、前記記憶手段に記憶されている情報に基づいて、貸し出し可能な状態にある前記編集端末の数を、撮影を終えた前記利用者に貸し出すことが可能な最大の前記編集端末の数として決定する決定ステップと、前記決定ステップの処理により決定された数の前記編集端末のうちの所定の数の前記編集端末を、それが用意されている位置から取り外し可能にする制御ステップとを含むことを特徴とする。
【００１８】
本発明においては、利用者を被写体として撮影が行われ、撮影が終了したとき、記憶手段に記憶されている情報に基づいて、貸し出し可能な状態にある前記編集端末の数が、撮影を終えた前記利用者に貸し出すことが可能な最大の前記編集端末の数として決定される。また、決定された数の前記編集端末のうちの所定の数の前記編集端末が、それが用意されている位置から取り外し可能にされる。
【発明の効果】
【００１９】
本発明によれば、撮影を終えた前記利用者に貸し出すことが可能な前記編集端末の数を決定することができる。
【図面の簡単な説明】
【００２０】
【図１】本発明を適用した写真シール自販機と、その設置例を示す斜視図である。
【図２】落書きパネルを用いて行われる落書きについて説明する図である。
【図３】落書きパネルの外観の例を示す図である。
【図４】写真シール自販機の構成例を表すブロック図である。
【図５】落書きパネルの状態を表す情報の例を示す図である。
【図６】落書きパネルの状態の例を示す図である。
【図７】落書きパネルの構成例を示すブロック図である。
【図８】写真シール自販機により行われる撮影処理について説明するフローチャートである。
【図９】写真シール自販機により行われる撮影処理について説明する、図８に続くフローチャートである。
【図１０】写真シール自販機の印刷処理について説明するフローチャートである。
【図１１】落書きパネルの落書き処理について説明するフローチャートである。
【図１２】落書きパネルの落書き処理について説明する、図１１に続くフローチャートである。
【図１３】落書きパネルの落書き処理について説明する、図１２に続くフローチャートである。
【図１４】落書きパネルの警報出力処理について説明するフローチャートである。
【図１５】料金追加装置の落書き時間延長処理について説明するフローチャートである。
【図１６】写真シール自販機の落書き時間延長処理について説明するフローチャートである。
【図１７】落書きパネルの落書き時間延長処理について説明するフローチャートである。
【図１８】落書きパネルを用いて行われる落書きについて説明する他の図である。
【図１９】写真シール自販機の撮影処理について説明するフローチャートである。
【図２０】写真シール自販機の印刷処理について説明するフローチャートである。
【図２１】落書きパネルの撮影・落書き処理について説明するフローチャートである。
【図２２】落書きパネルの撮影・落書き処理について説明する、図２１に続くフローチャートである。
【図２３】落書きパネルの撮影・落書き処理について説明する、図２２に続くフローチャートである。
【図２４】落書きパネルを用いて行われる落書きについて説明するさらに他の図である。
【図２５】落書きパネルの撮影・落書き・印刷処理について説明するフローチャートである。
【図２６】落書きパネルの撮影・落書き・印刷処理について説明する、図２５に続くフローチャートである。
【図２７】複数の落書きパネルが１組の利用者に貸し出されることを示す図である。
【図２８】写真シール自販機により行われる落書きパネルの貸し出し処理について説明するフローチャートである。
【発明を実施するための形態】
【００２１】
（実施の形態１）
図１は、本発明を適用した写真シール自動販売機１と、その設置例を示す斜視図である。
【００２２】
写真シール自動販売機１（以下、適宜、写真シール自販機１とも称する）の前方は、写真シール自販機１と背面パネル４２の間の空間の上部を覆うように設置された天井パネル４１、写真シール自販機１から所定の距離だけ離間して設置された背面パネル４２、写真シール自販機１と背面パネル４２の間の空間を、外部から仕切る側面パネル４３Ｒ、それと対向して設けられる側面パネル４３Ｌにより囲われており、そこで、利用者（複数人のグループを含む）による撮影が行われる。以下、写真シール自販機１の前方（カメラ１１による撮影方向）に形成される、利用者が撮影を行うための空間を撮影空間と称する。
【００２３】
このように、撮影空間は、その上面が天井パネル４１で仕切られ、左右の側面が、側面パネル４３Ｒおよび４３Ｌで仕切られ、前後の側面が写真シール自販機１および背面パネル４２で仕切られているため、写真シール自販機１の利用者は、周囲の人から撮影中の姿を覗かれずに撮影を行うことができる。
【００２４】
写真シール自販機１と側面パネル４３Ｒの間には、利用者が写真シール自販機１を利用すべく撮影空間に入るため、または、撮影を終えた利用者が撮影空間から出るための出入り口が形成されている。この出入り口には、例えば、図示せぬカーテンなどが取り付けられ、それによっても撮影空間の内部が覗かれないようにされる。
【００２５】
撮影空間に臨む写真シール自販機１の面１ａには、利用者からの指示に従って、撮影空間にいる利用者を撮影するカメラ１１が設けられている。カメラ１１は、CCD（Charge Coupled Device）などよりなり、例えば、面１ａの上下方向に配設されているレール（図示せず）に沿って、上下方向に移動可能とされる。従って、被写体である利用者は、カメラ１１を上下方向に移動させて、好みのアングルで撮影することができる。
【００２６】
カメラ１１の左右には、フラッシュ照射部１２Ｒおよび１２Ｌが設けられている。フラッシュ照射部１２Ｒおよび１２Ｌは、写真シール自販機１の内部に設けられている照明装置１０６（図４）から、カメラ１１による撮影と同時に出射されるフラッシュ光を透過し、撮影空間内を照射する。
【００２７】
撮影空間にいる利用者の手元付近の高さに相当する位置には、若干斜め上方を向いている面１ｂが形成されており、その中央には、LCD(Liquid Crystal Display)やCRT(Cathode-Ray Tude)などよりなるモニタ１３が設けられている。
【００２８】
モニタ１３には、撮影方法などに関する各種の案内や、利用者により操作される様々な選択ボタンが撮影の進行段階に応じて表示される。利用者は、モニタ１３に表示される案内に従って、モニタ１３に表示された選択ボタンを必要に応じて入力ペン１４Ｒおよび１４Ｌを利用して操作し、撮影を行う。図１の例においては、２つの入力ペンがモニタ１３の左右に設けられており、２人の利用者がそれらを利用して各種の操作を同時に行うことができる。
【００２９】
なお、モニタ１３には、撮影方法の案内や各種の選択ボタンの他、後に詳述するように、撮影を終了した利用者に対して、その利用者に貸し出される落書きパネルを指定するメッセージなども表示される。すなわち、図１の写真シール自販機１においては、利用者は、撮影の後、その撮影結果である画像の落書き（編集）を、落書きパネル（編集端末）を利用して、撮影空間の外部で行うようになされている。
【００３０】
落書きパネルが写真シール自動販売機１から取り外された後、落書きパネルと写真シール自動販売機１との間の通信は、写真シール自動販売機１の所定の位置（図１の例では上面）に設けられる通信部５２（アンテナ）を介して行われる。
【００３１】
面１ｂの下の面１ｃには、コイン投入口１５が設けられている。利用者は、写真シール自販機１を利用するに先立ち、所定の代金（硬貨）をコイン投入口１５に投入する。
【００３２】
写真シール自販機１の右側面１ｄの上方には、着脱部２１−１および２１−２が形成されており、そのそれぞれに、落書きパネル３１−１および３１−２が着脱可能に用意される。落書きパネル３１−１および３１−２は、例えば、利用者が撮影を終えるまで、電磁的にロックされ、着脱部２１−１および２１−２から取り外すことができないように固定される。以下、着脱部２１−１および２１−２のそれぞれを個々に区別する必要がない場合、まとめて着脱部２１と称し、落書きパネル３１−１および３１−２のそれぞれを個々に区別する必要がない場合、まとめて落書きパネル３１と称する。後述する他の構成についても、適宜、まとめて称する。
【００３３】
落書きパネル３１（３１−１および３１−２）は、その内部に、IEEE(Institute of Electrical and Electronics Engineers)802.11a，11b，11gなどに準拠した無線LAN（Local Area Network）モジュールやBluetooth（登録商標）モジュール、或いは、赤外線を介しての通信を行うモジュールなどよりなる無線通信部（通信部１３３（図７））を有しており、写真シール自販機１との間で無線通信を行うことが可能とされている。すなわち、写真シール自販機１に設けられている通信部５２は、落書きパネル３１に内蔵されているものと同様の規格で無線通信が可能な無線通信部である。
【００３４】
この無線通信部による無線通信を介して、利用者が撮影を終えたとき、写真シール自販機１から、落書きパネル３１−１および３１−２のうちの、そのとき撮影を終えた利用者に貸し出される落書きパネルに撮影画像が転送される。転送された撮影画像は、落書きパネル３１の表示部に、各種の落書きツールとともに表示され、そこでの落書きが可能とされる。
【００３５】
従って、撮影を終えた利用者は、割り当てられた落書きパネル３１を着脱部２１（２１−１または２１−２）から取り外し、写真シール自販機１から離れた場所で、撮影画像に対して落書きを行うことができる。その落書き結果の画像（落書き済みの画像）は、無線通信を介して落書きパネル３１から写真シール自販機１に転送され、写真シール自販機１に内蔵されるプリンタ５１で所定のシール紙に印刷される。
【００３６】
図１に示されるように写真シール自動販売機１に１つのプリンタ５１のみが設けられている場合、そのプリンタ５１により印刷されたシール紙は、例えば、ソータにより排出先が適宜切り換えられ、取出口２２−１または２２−２に排出される。当然、取出口２２−１にシール紙を排出するプリンタと、取出口２２−２にシール紙を排出するプリンタがそれぞれ写真シール自動販売機１に内蔵されるようにしてもよい。
【００３７】
側面１ｄの下方には、取出口２２−１および２２−２が設けられており、そこに、落書き済みの画像が印刷されたシール紙が排出される。例えば、落書きパネル３１−１を用いて落書きを終えたとき、その落書き済みの画像を印刷したシール紙の取出口２２を指定するメッセージなどが落書きパネル３１−１の表示部に表示されるため、利用者は、その表示を確認することで、確実に、自分の落書き済みの画像が印刷されたシール紙を受け取ることができる。
【００３８】
なお、取出口２２−１および２２−２には、それぞれ、開閉扉２３−１および２３−２が開閉自在に取り付けられている。開閉扉２３（２３−１および２３−２）は、例えば、落書きを終えた利用者が、使用した落書きパネル３１を返却するまで（落書きパネル３１を着脱部２１に戻すまで）閉じた状態とされ、落書き済みの画像が印刷されたシール紙を取出口２２から取り出すことができないようにされる。
【００３９】
落書きパネル３１が返却されたことを確認するまではシール紙を取り出すことができないようにすることにより、落書きパネル３１が利用者によって故意に持ち出されることを防止することができる。
【００４０】
図１の例においては、落書きパネル３１−１および３１−２の２つの落書きパネルが図示されているが、この数は適宜変更可能である。例えば、図示されていない、写真シール自販機１の筐体背面にさらに複数の落書きパネル３１が着脱可能に用意されるようにしてもよい。
【００４１】
また、落書きパネル３１が用意されている位置も、筐体に着脱可能にして用意されている必要はなく、撮影後、利用者がスムーズに受け取って落書きを行うことができる位置であれば、どのような位置でもよい。例えば、撮影空間の出入り口付近に設置された専用の装置（写真シール自販機１と別体の装置）や、後述する、貸し出しカウンタ１５１（図１８）、すなわち、写真シール自販機１の近傍であれば、どのような位置に落書きパネル３１が用意されているようにしてもよい。
【００４２】
ここで、図２を参照して、落書きパネル３１を用いて行われる落書きについて説明する。
【００４３】
図２は、写真シール自販機１を、その上方から示す図であり、写真シール自販機１の前方には撮影空間が形成され、その右側の一部に出入り口が形成されている。
【００４４】
撮影を行う利用者は、始めに、出入り口から撮影空間に入り、所定の代金を投入した後に開始される、モニタ１３の案内に従って撮影を行う。撮影が終了したとき、モニタ１３には、そのとき撮影を終えた利用者に貸し出される落書きパネル３１を指定するメッセージが表示されるため、利用者は、撮影空間から出た後、複数の落書きパネル３１のうち、メッセージで指定されたものを筐体から取り外し、落書きパネル３１を用いて撮影画像の落書きを行う。
【００４５】
すなわち、撮影が終了され、貸し出される落書きパネル３１が決定された後には、その落書きパネル３１に対して、写真シール自販機１に設けられる通信部５２から撮影画像が送信され、落書きパネル３１の表示部に落書き用の画面が表示される。落書きパネル３１には、所定の数の入力ペンが用意されており、それが利用されて、撮影画像に落書きが施される。
【００４６】
落書きが施された落書き済みの画像は、落書きパネル３１から写真シール自販機１に対して無線通信により送信され、写真シール自販機１に設けられるプリンタ５１で印刷されるため、利用者は、落書きパネル３１を写真シール自販機１の筐体に返却した後、落書き済みの画像が印刷されたシール紙を受け取り、一連の遊技を終了する。
【００４７】
このように、複数の落書きパネル３１を用意し、それを、撮影を終えた利用者に貸し出し、落書きを行わせるようにしたため、撮影に続けて、そのまま撮影空間で落書きを行わせる場合、または、写真シール自販機１を挟んで撮影空間の反対側（筐体背面側）などに用意される落書き用の空間で落書きを行わせる場合などに較べて、十分な落書き時間を確保することができる。
【００４８】
また、例えば、後から写真シール自販機１を利用し始めた他の利用者がいる場合、先に撮影を終えた利用者は、他の利用者がいることによる心理的な圧迫を受け、気兼ねなく落書きを行うことができない場合があるが、複数の落書きパネル３１を用意し、それを貸し出すようにすることで、そのような心理的な圧迫感を受けることも回避することができる。
【００４９】
さらに、利用者は、落書きパネル３１を持ち出して、後述する落書き空間の範囲内の自由な場所で落書きを行うことができることから、用意された椅子に座りながらの落書きなどが可能となり、写真シール自販機１の背面に設けられた画面で落書きを行う場合などと較べて、より自然な体勢で落書きを行うことができる。
【００５０】
また、撮影を終えた利用者をすぐに撮影空間の外に出させるようにすることで、利用者の回転率を向上させることができる。すなわち、撮影を行っている１組の利用者に加えて、用意した落書きパネル３１の数の利用者を同時に接客することが可能となる。これに伴い、写真シール自販機１の順番待ちの時間を減らすことができ、順番待ちをしている利用者の不満を解消することができる。
【００５１】
なお、落書きパネル３１には、利用者による落書き目的以外での持ち出しを防止するため、警報機能が搭載されている。例えば、落書きパネル３１で受信される、写真シール自販機１からの電波の強度に基づいて、落書きパネル３１を持ち出した利用者が所定の範囲から外に出たことが検出された場合、落書きパネル３１の表示部に所定の警報メッセージが表示されたり、スピーカから警報音が出力される。従って、落書きパネル３１を利用者が持ち出し可能な範囲、すなわち、所定の閾値の強度以上の電波を落書きパネル３１が受信することができる範囲が、図２に示されるように落書き空間とされる。
【００５２】
また、落書きが開始されてから、落書き用に設定された所定の時間が経過したときも、同様の警報が発せられる。
【００５３】
図２の例においては、落書きパネル３１−１および３１−２は、それぞれ、落書き空間の内側にあるものとされ、落書きパネル３１−Ｎは、落書き空間の外側にあるものとされている。この場合、落書きパネル３１−Ｎからは、所定の警報が発せられる。なお、落書きパネル３１の持ち出し可能範囲を柵で囲み、その範囲の出入り口付近に、万引き防止ゲートのようなセンサと警報装置を設置し、そのセンサにより、柵で囲われた範囲から落書きパネル３１が外部に持ち出されたことが検出された場合に、警報装置から警報が発せられるようにしてもよい。
【００５４】
また、図２の例においては、落書き空間内に、写真シール自販機１と無線通信が可能な料金追加装置６１が設置されている。後に詳述するように、料金追加装置６１は、落書きを行っている利用者が落書き時間を延長させるために、追加料金を投入することができるようになされている。
【００５５】
図３は、図２の落書きパネル３１の外観の例を示す図である。
【００５６】
図３に示されるように、落書きパネル３１に設けられる表示部７１には、写真シール自販機１から転送されてきた撮影画像のうち、そのときの落書き対象の画像である落書き画像８１とともに、各種のボタンなどが配置される落書き画面が表示される。表示部７１には、タッチパネルが重畳されており、利用者は、図３に示されるように、落書きパネル３１に用意されるタッチペン９１を用いて、それらのボタンを操作し、落書きを行うことができる。タッチペン９１は、例えば、落書きパネル３１の裏面や側面などに着脱可能に複数取り付けられ、用意されている。
【００５７】
図３の落書き画面においては、画像選択部８２に撮影画像が一覧表示され、利用者は、そこに表示される画像の中から、落書き対象とする画像を選択することができる。また、落書き画面の右下には、落書きを終了させるとき操作される終了ボタン８３も表示されている。なお、図３の例において、落書き画像８１の上方、または左方に表示されているボタンは、各種の落書きツール（例えば、所定のマーク画像を落書き画像８１に合成するためのスタンプツールや、所定の文字などを入力するためのペンツール）などを選択するとき操作されるボタンである。
【００５８】
図４は、写真シール自販機１の構成例を表すブロック図である。図１乃至図３に対応する部分には、同一の符号を付してあり、上述したものについては、その説明を適宜省略する。
【００５９】
制御装置１０１は、内部のROM(Read Only Memory)（不図示）に記憶されている制御プログラムや、記憶装置１０５に記憶されている制御プログラムを内部のRAM(Random Access Memory)（不図示）にロードし、その制御プログラムに従って、写真シール自販機１の全体の動作を制御する。制御装置１０１は、例えば、パーソナルコンピュータなどにより構成される。
【００６０】
落書きパネル貸し出し／返却部１０２は、制御装置１０１からの制御に基づいて、落書きパネル３１の貸し出しと返却を制御する。制御部１１１−１は、落書きパネル３１−１の貸し出しと返却を制御し、制御部１１１−２は、落書きパネル３１−２の貸し出しと返却を制御する。図４の例においては、Ｎ個の落書きパネルが用意されており、同様に、制御部１１１−Ｎは、落書きパネル３１−Ｎの貸し出しと返却を制御する。
【００６１】
制御部１１１−１は、固定部１１１−１Ａと検出部１１１−１Ｂを有しており、そのうちの固定部１１１−１Ａは、制御装置１０１からの制御に基づいて、例えば、利用者による撮影が終了されるまで、着脱部２１−１に落書きパネル３１−１を固定するとともに（着脱部２１−１からの落書きパネル３１−１の取り外しを禁止するとともに）、撮影が終了されたとき、その固定を解除し、落書きパネル３１−１を取り外し可能にする。検出部１１１−１Ｂは、利用者に貸し出されている落書きパネル３１−１の返却（着脱部２１−１への装着）を検出し、返却されたことを検出したことを表す情報を制御装置１０１に出力する。
【００６２】
検出部１１１−１Ｂから制御装置１０１に出力される情報（返却されたことを検出したことを表す情報）には、例えば、落書きパネル３１に割り当てられている識別番号が含まれる。この識別番号は、落書きパネル３１−１の裏面に貼り付けられているバーコードや所定の識別マーク、或いは、ICタグに記憶されている情報などが読み取られることで、検出部１１１−１Ｂにより取得され、制御装置１０１に出力されるようにしてもよい。
【００６３】
制御部１１１−２乃至１１１−Ｎも同様に、それぞれ、固定部１１１−２Ａ乃至１１１−ＮＡにより落書きパネル３１−２乃至３１−Ｎの固定または解除を制御するとともに、検出部１１１−２Ｂ乃至１１１−ＮＢにより落書きパネル３１が返却されたことを検出する。
【００６４】
入力部１０３は、複数のボタンからなり、利用者により操作されたボタンに対応する信号を制御装置１０１に出力する。また、入力部１０３は、モニタ１３に重畳されているタッチパネルに対する利用者からの入力を検出し、利用者の入力に対応する信号を制御装置１０１に出力する。
【００６５】
硬貨処理部１０４は、コイン投入口１５に投入された硬貨をカウントし、予め設定されている所定の金額が投入されたとき、代金が支払われたことを示す情報を制御装置１０１に出力する。
【００６６】
記憶装置１０５は、制御装置１０１が実行する制御プログラムの他、カメラ１１で撮影された画像（撮影画像１０５Ｄ）を記憶する。記憶装置１０５には、落書きパネル３１の状態を管理する情報を記憶する落書きパネル管理DB(Data Base)１０５A、および、貸し出されている落書きパネル３１から送信されてきた印刷キューを記憶する印刷キュー記憶部１０５B、印刷予約管理DB１０５Cが構築されている。
【００６７】
図５は、落書きパネル３１の状態を表す情報の例を示す図である。
【００６８】
この例においては、落書きパネル３１の状態として、「１：“貸出可能”」、「２：“貸出準備中”」、「３：“貸出待ち”」、「４：“貸出中”」、「５：“返却待ち”」、「６：“返却処理中”」の、６つの状態が示されている。
【００６９】
「１：“貸出可能”」は、落書きパネル３１が電磁式フックで着脱部２１に固定され、貸し出されていない状態を表し、「２：“貸出準備中”」は、貸し出されるものとして決定された落書きパネル３１に対して、写真シール自販機１（本体）から撮影画像が転送中である状態を表している。「３：“貸出待ち”」は、撮影画像の転送が終了したため、電磁式フックが解除され、利用者による取り外しを待っている状態を表し、「４：“貸出中”」は、着脱部２１から落書きパネル３１が取り外され、利用者により落書きが行われている状態を表している。「５：“返却待ち”」は、落書き済みの画像が落書きパネル３１から写真シール自販機１に転送中であるとともに、転送された落書き済みの画像がシール紙に印刷中である状態を表し、「６：“返却処理中”」は、利用者がシール紙を取出口２２から取り出すことができる状態であることを表している。
【００７０】
なお、図５の例においては、「５：“返却待ち”」が設定されている間を除く、「１：“貸出可能”」から「４：“貸出中”」が設定されている間、および、「６：“返却処理中”」が設定されている間は、開閉扉２３が「解除」の状態（利用者が手動で開閉可能な状態）であるとされている。
【００７１】
なお、上述した電磁式フックは、例えば、落書きパネル３１の固定時には、バネの復元力によるフック飛び出しにより落書きパネル３１を固定し、解除時には、バネの復元力に逆らう方向に電磁石などでフックを格納する（引っ込ませる）ことにより落書きパネル３１の固定を解除する。これにより、落書きパネル３１の固定時は、電磁石に通電させる必要が無いことから省電力を図ることができ、停電時や、写真シール自動販売機１の電源がオフにされたときも落書きパネル３１が固定され続けることになる。また、落書きパネル３１を固定するために電磁式フックが飛び出した状態でも、そこに落書きパネル３１が実際に装着されていない場合、落書きパネル３１を着脱部２１に装着し、落書きパネル３１ごと電磁式フックを押し下げることで、落書きパネル３１を着脱部２１に強制的に取り付ける（返却する）ことができるようにしてもよい。
【００７２】
図６は、落書きパネル管理DB１０５Aに記憶される、５つの落書きパネル３１のそれぞれの状態の例を示す図である。
【００７３】
図６の例においては、パネルNo.１が設定されている落書きパネル３１の状態は「６：“返却処理中”」とされ、パネルNo.２が設定されている落書きパネル３１の状態は「５：“返却待ち”」とされている。また、パネルNo.３が設定されている落書きパネル３１とNo.４が設定されている落書きパネル３１の状態は「４：“貸出中”」とされ、No.5が設定されている落書きパネル３１の状態は「１：“貸出可能”」とされている。
【００７４】
また、このような、落書きパネル３１の状態とともに、返却までの残り時間（落書きの残り時間）を表す情報も落書きパネル管理DB１０５Aに記憶され、制御装置１０１により管理される。例えば、追加料金が支払われた場合、制御装置１０１は、落書きパネル管理DB１０５Aに記憶されている、落書きの残り時間を延長させるなどして管理する。
【００７５】
図４の説明に戻り、照明装置１０６は、蛍光灯やストロボを有しており、制御装置１０１からの制御に基づいて、撮影空間の内部を照明するとともに、撮影のタイミングに合わせて、フラッシュ光を出射する。
【００７６】
IDタグリーダ／ライタ１０７は、シール紙ユニット１０８に付されているIDタグ１０８Aに記憶されている識別情報を接触または非接触により読み出し、制御装置１０１に出力する。制御装置１０１は、写真シール自販機１において利用可能とされるシール紙ユニットの識別情報を管理しており、その管理している情報と、IDタグリーダ／ライタ１０７から供給された識別情報に基づいて、装着されているシール紙ユニット１０８が、写真シール自販機１において利用可能なユニットであるか否かを判定する。例えば、制御装置１０１は、利用可能なシール紙ユニットが装着されていると判定したときのみ、利用者による利用を可能にする。
【００７７】
これにより、写真シール自販機１に対応していない（純正のものでない）シール紙が利用されるのを防止することができる。また、IDタグ１０８Aにより、シール紙１０８Bの残量等も管理される。なお、シール紙ユニット１０８が純正のものであるか否かが、シール紙ユニット１０８にプリントされているバーコードなどにより確認されるようにしてもよいし、或いは、シール紙ユニットの寸法、形状などにより、機械的に装填不可とすることで確認されるようにしてもよい。
【００７８】
シール紙ユニット１０８は、写真シール自販機１に着脱可能になっており、内部にシール紙１０８Bを装填する。シール紙ユニット１０８には、IDタグリーダ／ライタ１０７が識別情報を読み取り可能な位置に、IDタグ１０８Aが付されている。
【００７９】
開閉制御部１０９は、図５を参照して説明したように、落書きパネル３１の状態の変化に応じて、取出口２２に取り付けられた開閉扉２３の開閉を制御する。取出口２２のそれぞれには、図４に示されるように、取出口２２内のシール紙の有無を検出するセンサ２４（２４−１乃至２４−N）が設けられる。
【００８０】
図７は、落書きパネル３１の構成例を示すブロック図である。
【００８１】
制御部１３１は、所定の制御プログラムに従って、落書きパネル３１の全体の動作を制御する。制御部１３１により時間管理部１３１Ａと警報出力部１３１Ｂが実現され、その時間管理部１３１Ａにより、落書き時間（落書きの制限時間）が管理される。例えば、時間管理部１３１Ａは、筐体から落書きパネル３１が取り外されたとき、或いは、落書きが開始されたときに落書き時間の計測を開始し、予め設定された所定の制限時間が経過したとき、警報出力部１３１Ｂに警報の出力を指示する。また、時間管理部１３１Ａにより管理される残りの落書き時間は、例えば、表示部７１に表示される。
【００８２】
警報出力部１３１Ｂは、時間管理部１３１Ａから、制限時間を経過したことを表す情報が供給されてきたとき、或いは、通信部１３３において受信される、写真シール自販機１からの電波の強度が所定の閾値の強度よりも低いことを検出したとき、警報を発し、利用者に対して落書きパネル３１の返却、または、落書き空間内で落書きを行うことを促す。
【００８３】
表示部７１は、LCDなどよりなり、落書き画面（例えば、図３の画面）を表示する。表示部７１には、タッチパネルが重畳して設けられており、タッチペン９１が用いられて入力された利用者の指示は、入力部１３４により検出され、制御部１３１に出力される。
【００８４】
スピーカ１３２は、警報出力部１３１Ｂからの制御に従って、所定の警報音や音声を出力する。
【００８５】
通信部１３３は、写真シール自販機１の通信部５２との間で無線通信を行い、通信部５２から送信されてくる撮影画像の受信、または、通信部５２に対する落書き済みの画像の送信を行う。
【００８６】
コネクタ１３５は、落書きパネル３１の表面に設けられており、例えば、落書きパネル３１が着脱部２１に装着されたとき、落書きパネル電源充電部（図示なし）への電源供給のほか、写真シール自販機１の制御装置１０１との間で有線を介しての通信を行う。
【００８７】
フラッシュメモリやハードディスクなどよりなる記憶部１３６は、写真シール自動販売機１から転送されてきた撮影画像（落書き対象の画像）や、落書きパネル３１に割り当てられている識別情報などを記憶する。
【００８８】
次に、以上の構成を有する写真シール自販機１および落書きパネル３１の動作について説明する。
【００８９】
始めに、図８および図９のフローチャートを参照して、写真シール自販機１により行われる撮影処理について説明する。
【００９０】
この処理は、例えば、１組の利用者による撮影が終了した直後などの、利用者による撮影が行われていない所定のタイミングで開始される。
【００９１】
ステップＳ１において、制御装置１０１は、落書きパネル管理DB１０５Aの設定をチェックし、ステップＳ２に進み、貸し出し可能な落書きパネル３１があるか否かを判定する。
【００９２】
例えば、図５の「１：“貸出可能”」が設定されている落書きパネル３１がなく、ステップＳ２において、貸し出し可能な落書きパネル３１がないと判定した場合、制御装置１０１は、ステップＳ３に進み、例えば、２分以内などの、所定の時間内に返却予定の落書きパネル３１があるか否かを判定する。
【００９３】
ステップＳ３において、制御装置１０１は、その時間内に返却予定の落書きパネル３１がないと判定した場合、ステップＳ４に進み、コイン投入口１５を閉じた状態とし、代金の投入を禁止する。すなわち、コイン投入口１５が既に閉じている場合、その状態が維持され、開いている場合、閉じた状態にされる。従って、このとき、利用者は、撮影を新たに開始することができない。また、制御装置１０１は、ステップＳ５に進み、例えば、「混雑中、しばらく待ってね」などの、撮影をすぐに開始することができないことを通知するメッセージを含むデモ画面をモニタ１３に表示させた後、ステップＳ１に戻り、それ以降の処理を実行する。
【００９４】
一方、ステップＳ２において、貸し出し可能な落書きパネル３１があると判定した場合、または、ステップＳ３において、所定の時間内に返却予定の落書きパネル３１があると判定した場合、ステップＳ６に進み、制御装置１０１は、コイン投入口１５を開けた状態にする。
【００９５】
制御装置１０１は、ステップＳ７において、例えば、「撮影できるよ」などの、撮影をすぐに開始することができることを通知するメッセージを含むデモ画面をモニタ１３に表示させた後、ステップＳ８に進み、所定の代金のコインがコイン投入口１５に投入されたか否かを判定し、投入されたと判定するまで待機する。
【００９６】
ステップＳ８において、制御装置１０１は、利用者がコインを投入したと判定した場合、ステップＳ９に進み、コイン投入口１５を閉じた状態とし、ステップＳ１０に進み、撮影時間の計測を開始する。この例においては、撮影時間にも所定の制限時間が設定されており、その計測が開始される。
【００９７】
ステップＳ１１において、制御装置１０１は、撮影画面をモニタ１３に表示させる。この撮影画面には、例えば、カメラ１１により取り込まれている映像がリアルタイム表示されることから、利用者は、モニタ１３の撮影画面を確認し、フレーム内の構図などを調整することができる。なお、カメラ１１により取り込まれている映像を表示するための専用のLCDなどが、カメラ１１の直下に取り付けられているようにしてもよい。
【００９８】
ステップＳ１２において、制御装置１０１は、タイムアウトか否か、すなわち、ステップＳ１０において計測を開始した撮影時間が、制限時間を経過したか否かを判定し、経過していないと判定した場合、ステップＳ１３に進み、撮影処理を行う。
【００９９】
例えば、ステップＳ１３においては、所定の撮影開始ボタンが操作されることに応じて、照明装置１０６から撮影空間内にフラッシュが出射されるとともに、カメラ１１による撮影が行われる。撮影により得られた画像は、記憶装置１０５に記憶される。
【０１００】
ステップＳ１４において、制御装置１０１は、撮影終了ボタンが押下されたか、または、残りの撮影枚数が０になったか否か（予め設定されている撮影枚数の分だけ撮影を行ったか否か）を判定し、終了ボタンが押下されておらず、残りの撮影枚数が０でもないと判定した場合、ステップＳ１１に戻り、それ以降の処理を繰り返し実行する。
【０１０１】
制御装置１０１は、ステップＳ１４において、終了ボタンが押下されたと判定した場合、または、残りの撮影枚数が０であると判定した場合、ステップＳ１５に進む。また、制御装置１０１は、ステップＳ１２において、タイムアウトであると判定した場合もステップＳ１５に進む。この場合、ステップＳ１３およびＳ１４の処理はスキップされる。
【０１０２】
以上の処理により、撮影は終了され、その後、撮影画像の落書きを行うための落書きパネル３１の貸し出しが行われる。
【０１０３】
ステップＳ１５において、制御装置１０１は、落書きパネル管理DB１０５Aの設定をチェックした後、ステップＳ１６に進み、貸し出し可能な落書きパネル３１があるか否かを判定する。
【０１０４】
例えば、図５の「１：“貸出可能”」が設定されている落書きパネル３１がなく、ステップＳ１６において、貸し出し可能な落書きパネル３１がないと判定した場合、制御装置１０１は、ステップＳ１７に進み、例えば、モグラたたきゲームなどの、所定の時間待ちゲームをモニタ１３に表示させ、撮影を終えた利用者に提供する。その後、ステップＳ１６に戻り、それ以降の処理が実行される。
【０１０５】
一方、制御装置１０１は、ステップＳ１６において、貸し出し可能な落書きパネル３１があると判定した場合、ステップＳ１８に進み、貸し出し可能とされている落書きパネル３１を、利用者に貸し出すパネルとして選択する。例えば、貸し出し可能とされている落書きパネル３１が複数ある場合、その中の所定のものが利用者に貸し出すパネルとして選択される。
【０１０６】
ステップＳ１８において、制御装置１０１は、落書きパネル管理DB１０５Aの設定を更新する。ここでは、貸し出すものとして選択された落書きパネル３１に、図５の「２：“貸出準備中”」が設定される。
【０１０７】
図５を参照して説明したように、「２：“貸出準備中”」は、落書きパネル３１に撮影画像の転送が行われている状態を表している。従って、制御装置１０１は、ステップＳ１９において、記憶装置１０５から撮影画像（撮影画像１０５Ｄ）を読み出し、それを、通信部５２から落書きパネル３１に無線通信を介して転送する。
【０１０８】
ステップＳ２０において、制御装置１０１は、全ての撮影画像の転送が終了したか否かを判定し、終了していないと判定した場合、ステップＳ１９に戻り、撮影画像の転送を続行する。また、制御装置１０１は、ステップＳ２０において、全ての撮影画像の転送が終了したと判定した場合、ステップＳ２１に進み、落書きパネル管理DB１０５Aの設定を更新する。ここでは、撮影画像が転送済みの落書きパネル３１に、図５の「３：“貸出待ち”」が設定される。
【０１０９】
なお、着脱部２１に装着されている落書きパネル３１と、制御装置１０１が所定のコネクタなどで接続されている場合、そのコネクタを介して、撮影画像が有線で転送されるようにしてもよい。
【０１１０】
図５を参照して説明したように、ステップＳ２１で設定された「３：“貸出待ち”」は、利用者による落書きパネル３１の取り外しを待っている状態を表している。従って、制御装置１０１は、ステップＳ２２に進み、落書きパネル３１の電磁式フックを解除し、落書きパネル３１の筐体からの取り外しを可能にさせる。例えば、落書きパネル３１−１を貸し出す場合、制御装置１０１は、制御部１１１−１を制御して、固定部１１１−１Ａの電磁式フックによる固定を解除させ、着脱部２１−１から利用者が落書きパネル３１−１を取り外すことができるようにする。
【０１１１】
ステップＳ２３において、制御装置１０１は、貸し出す落書きパネル３１を指定する案内画面をモニタ１３に表示させる。用意されている複数の落書きパネル３１のそれぞれに番号が付されている場合、ここで表示される案内画面には、例えば、「No．ｎの落書きパネルを使ってね」のような、貸し出す落書きパネル３１の番号ｎを指定するメッセージが表示される。
【０１１２】
利用者は、案内画面に表示されているメッセージに従って、指定される落書きパネル３１を着脱部２１から取り外す。
【０１１３】
制御装置１０１は、ステップＳ２４において、落書きパネル３１が利用者により取り外されたか否かを判定し、取り外されたと判定するまで待機する。制御装置１０１は、ステップＳ２４において、落書きパネル３１が利用者により取り外されたと判定した場合、ステップＳ２５に進み、落書きパネル管理DB１０５Aの設定を更新する。ここでは、利用者に貸し出された落書きパネル３１に、図５の「４：“貸出中”」が設定される。この「４：“貸出中”」は、落書きパネル３１から写真シール自販機１に対して、落書き済みの画像が転送されるまで設定され続ける。
【０１１４】
以上の処理により、撮影処理が終了され、利用者は、落書き空間（図２）の範囲内で自由な場所に移動し、落書きパネル３１を用いて撮影画像の落書きを行う。
【０１１５】
次に、図１０のフローチャートを参照して、落書き済みの画像をシール紙に印刷する写真シール自販機１の処理について説明する。
【０１１６】
この処理は、落書きパネル３１において利用者により作成された落書き済みの画像が落書きパネル３１から送信されてくる毎に実行される。従って、複数の落書きパネル３１が貸し出されている場合、そのそれぞれからの落書き済みの画像の送信のタイミングによっては、この処理は、画像を送信してきた落書きパネル３１に対応して、時間的に並行して行われることもある。
【０１１７】
ステップＳ３１において、制御装置１０１は、通信部５２を制御し、落書きパネル３１から送信される落書き済みの画像を受信する（後述する、図１３のステップＳ８０の処理により送信される落書き済みの画像を受信する）。また、制御装置１０１は、ステップＳ３２において、落書きパネル管理DB１０５Aの設定を更新する。ここでは、落書きパネル３１から落書き済みの画像が転送されている状態を表す、図５の「５：“返却待ち”」が設定される。
【０１１８】
制御装置１０１は、ステップＳ３３において、落書き済みの画像の受信を完了したか否かを判定し、完了していないと判定した場合、ステップＳ３１に戻り、それ以降の処理を繰り返し実行する。
【０１１９】
一方、制御装置１０１は、ステップＳ３３において、落書き済みの画像の受信を完了したと判定した場合、ステップＳ３４に進み、印刷キュー記憶部１０５Bに記憶されている印刷キューを参照し、転送されてきた落書き済みの画像の印刷が直ちに実行可能であるか否かを判定する。
【０１２０】
例えば、先に転送されてきた落書き済みの画像を印刷している最中であり、新たに転送されてきた落書き済みの画像をすぐに印刷することができない場合などには、印刷ができないと判定される。
【０１２１】
制御装置１０１は、ステップＳ３４において、転送されてきた画像の印刷が実行可能であると判定するまで待機する。
【０１２２】
ステップＳ３４において、印刷が可能であると判定した場合、制御装置１０１は、ステップＳ３５に進み、印刷後のシール紙が排出される予定の取出口２２の開閉扉２３を閉じた状態にする。ここで閉じられた開閉扉２３は、利用者が落書きパネル３１を返却するまで、その状態が維持される。従って、利用者は、落書きパネル３１を返却するまで、印刷済みのシール紙を取出口２２から取り出すことができない。なお、開閉扉２３は、印刷済みのシール紙の状態がわかるように、透明または半透明の扉であることが好ましい。
【０１２３】
ステップＳ３６において、制御装置１０１は、プリンタ５１を制御し、落書きパネル３１から送信されてきた落書き済みの画像をシール紙１０８Bに印刷させる。
【０１２４】
印刷が終了したとき、ステップＳ３７に進み、制御装置１０１は、落書きパネル３１が返却されたか否かを判定し、返却されたと判定するまで待機する。例えば、落書きパネル３１−１が貸し出されている場合、検出部１１１−１Ｂからの出力に基づいて、落書きパネル３１−１が返却されたか否かが判定される。なお、ここでは、貸し出された落書きパネル３１−１が着脱部２１−１に返却されるまで（装着されるまで）、すなわち、利用者が落書きパネル３１−１を取り外した場所と同じ場所に返却して初めて、落書きパネル３１−１が返却されたと判定されるようにしてもよいし、そのとき空いているいずれかの着脱部２１に返却されたときに、落書きパネル３１−１が返却されたと判定されるようにしてもよい。後者の場合（貸し出し時と異なる着脱部２１に返却することができる場合）、上述したように、例えば、落書きパネル３１の裏面に貼り付けられているバーコードなどが読み取られ、返却された落書きパネル３１が識別される。
【０１２５】
制御装置１０１は、ステップＳ３７において、落書きパネル３１が返却されたと判定した場合、ステップＳ３８に進み、落書きパネル管理DB１０５Aの設定を更新する。ここでは、返却された落書きパネル３１に、利用者がシール紙を取り出している状態を表す、図５の「４：“返却処理中”」が設定される。
【０１２６】
ステップＳ３９において、制御装置１０１は、返却された落書きパネル３１を電磁式フックにより固定し、ステップＳ４０に進み、利用者に提供するシール紙１０８Ｂが排出された取出口２２の開閉扉２３を開けた状態にする。これにより、利用者は、自分自身で撮影し、落書きを施した画像が印刷されたシール紙を受け取ることができる。
【０１２７】
ステップＳ４１において、制御装置１０１は、例えば、取出口２２に設けられている、シール紙の有無を検出するセンサ２４からの出力に基づいて、シール紙が取出口２２から取り出されたか否かを判定し、取り出されたと判定するまで待機する。なお、開閉扉２３が開けた状態にされてから所定の時間が経過したときに、シール紙が取り出されたと判定されるようにしてもよい。ステップＳ４１において、落書き済みの画像が印刷されたシール紙が取出口２２から取り出されたと判定した場合、ステップＳ４２に進む。
【０１２８】
ステップＳ４２において、制御装置１０１は、落書きパネル管理DB１０５Aの設定を更新する。ここでは、直前に返却された落書きパネル３１の状態として、図５の「１：“貸出可能”」が設定される。
【０１２９】
以上のようにして、落書きパネル３１が用いられて作成された落書き済みの画像がシール紙に印刷され、利用者に提供される。
【０１３０】
次に、図１１乃至図１３のフローチャートを参照して、落書きパネル３１により行われる落書き処理について説明する。
【０１３１】
ステップＳ６１において、制御部１３１（図７）は、表示部７１を制御し、デモ画面を表示するか、または、表示部７１のバックライトをオフとし非表示にする。デモ画面が表示される場合、ここでは、例えば、「撮影から始めてね」などのメッセージを含む画面が表示される。なお、このとき、落書きパネル３１は、写真シール自販機１の筐体からまだ取り外されていない。
【０１３２】
ステップＳ６２において、制御部１３１は、通信部１３３からの出力に基づいて、撮影画像が写真シール自販機１から転送されてきたか否かを判定し、転送されてきていないと判定した場合、ステップＳ６１に戻り、デモ画面の表示などを続ける。
【０１３３】
一方、制御部１３１は、写真シール自販機１から撮影画像が転送されてきたと判定した場合（図９のステップＳ１９の処理により撮影画像の転送が開始された場合）、ステップＳ６３に進み、撮影画像を受信する。制御部１３１は、ステップＳ６４において、全ての撮影画像の受信が完了したか否かを判定し、完了していないと判定した場合、ステップＳ６３に戻り、撮影画像の受信を続行する。
【０１３４】
制御部１３１は、ステップＳ６４において、全ての撮影画像の受信が完了したと判定した場合、ステップＳ６５に進み、時間管理部１３１Ａにおいて落書き時間の計測を開始し、予め設定されている制限時間の管理を開始する。
【０１３５】
ステップＳ６６において、制御部１３１は、写真シール自販機１から転送されてきた撮影画像（撮影画像を含む落書き画面）を全て表示せずに、その一部のみを表示する。利用者により落書きパネル３１が写真シール自販機１から取り外されるまでは、このように撮影画像の一部のみが表示された状態とされる。
【０１３６】
図１に示されるように、落書きパネル３１は、写真シール自販機１の筐体側面などに用意されるものであるため、利用者により筐体から取り外される前に撮影画像の全てが表示されると、写真シール自販機１の周囲にいる他人（撮影を終え、これから落書きを開始しようとする利用者以外の人）に撮影画像が見られてしまうことになるが、これにより、全ての撮影画像が他人に見られるのを防ぐことができる。
【０１３７】
ステップＳ６７において、制御部１３１は、写真シール自販機１の着脱部２１から落書きパネル３１が取り外されたか否かを判定し、取り外されたと判定するまで待機する。例えば、コネクタ１３５の接続状況から、写真シール自販機１の着脱部２１から取り外されたか否かが判定される。
【０１３８】
制御部１３１は、ステップＳ６７において、写真シール自販機１の着脱部２１から取り外されたと判定した場合、ステップＳ６８に進み、表示部７１に、例えば、図３に示されるような落書き画面を表示させる。
【０１３９】
図３の落書き画面が表示されている状態で、利用者は、画像選択部８２に一覧表示されている撮影画像の中から落書き画像８１を選択し、落書き画像８１の周囲に表示されている各種の落書きツールを用いて、落書き画像８１に落書きを行う（編集を施す）。また、落書きを終えるときには、利用者は、終了ボタン８３を操作し、写真シール自販機１に対して、落書き済みの画像の印刷を要求する。
【０１４０】
ステップＳ６９において、制御部１３１の時間管理部１３１Ａは、タイムアウトか否か（落書きを開始してからの時間が制限時間を経過したか否か）を判定し、タイムアウトでないと判定した場合、ステップＳ７０に進み、落書きの残り時間が、例えば、３０秒などの所定の時間より短いか否かを判定する。
【０１４１】
落書きの残り時間がその時間より短いと判定した場合、ステップＳ７１に進み、制御部１３１は、通信部１３３を制御して、印刷状況を写真シール自販機１に問い合わせる。
【０１４２】
ステップＳ７２において、制御１３１は、問い合わせに応じて写真シール自販機１から送信される、そのときの印刷状況を表す情報に基づいて、すぐに印刷を行うことが可能であるか否かを判定する。
【０１４３】
制御部１３１は、ステップＳ７２において、すぐに印刷を行うことが可能であると判定した場合、ステップＳ７３に進み、例えば、「落書きのこり３０秒」などの、落書きの終了を催促するメッセージを落書き画面の所定の位置に表示する。
【０１４４】
このメッセージが表示されることにより、例えば、落書き時間を延長するか否かを利用者に選択させることができる。
【０１４５】
ステップＳ７４において、制御部１３１は、落書きパネル３１に対して設定されている識別情報（図７の記憶部１３６に記憶されている識別情報）などを通信部１３３から写真シール自販機１に送信し、写真シール自動販売機１の印刷予約管理DB１０５C（図４）に、自身の識別情報に対応付けて印刷の予約を設定する。ここで登録された印刷予約状況に基づいて、制御部１３１は、続いて、落書き済みの画像を送信するかどうかを判断し、送信すると判断した場合には、後述するステップＳ８０の処理で、落書き済みの画像を印刷キュー記憶部１０５Bに送信する。
【０１４６】
一方、制御部１３１は、ステップＳ７２において、すぐに印刷を行うことができないと判定した場合、ステップＳ７５に進む。従って、この場合、落書き済みの画像は写真シール自動販売機１に対して送信されない。
【０１４７】
ステップＳ７５において、制御部１３１は、例えば、「混雑のため落書き時間を延長します」などの、落書き時間を延長することを通知するメッセージを落書き画面の所定の位置に表示し、ステップＳ７６に進み、残りの落書き時間を、例えば、１０秒だけ延長させる。これにより、先に落書きを終えていた他の利用者の画像を印刷している最中であり、すぐに印刷を開始することができない場合であっても、利用者を退屈させることなく待たせることが可能となる。
【０１４８】
写真シール自販機１においては、様々なタイミングでそれぞれの落書きパネル３１での落書きが開始され、さらに、必要に応じて、落書き時間を延長させることができることから、様々なタイミングでそれぞれの落書きパネル３１から印刷の要求があることが予想される。従って、このように、印刷の予約を設定したり（ステップＳ７４）、或いは、落書き時間を延長し、印刷を開始するタイミングをずらしたりすることで（ステップＳ７６）、落書きを終えてから、落書き済みの画像が印刷されたシール紙を受け取るまでの時間を短縮することができる。
【０１４９】
ステップＳ７４で印刷の予約を設定した場合、または、ステップＳ７６で落書きの残り時間を追加した場合、ステップＳ７７に進み、制御部１３１は、入力部１３４からの入力に従って、落書き画面に表示されている落書き画像８１の落書きを行う。
【０１５０】
また、ステップＳ７０において、落書きの残りの時間が３０秒より長いと判定された場合も、ステップＳ７７において、利用者からの入力に従った落書きが行われる。この場合、ステップＳ７１乃至Ｓ７６の処理はスキップされる。
【０１５１】
ステップＳ７８において、制御部１３１は、入力部１３４からの入力に基づいて、利用者により終了ボタン８３が押下されたか否かを判定し、押下されていないと判定した場合、ステップＳ６９に戻り、それ以降の処理を繰り返し実行する。すなわち、制限時間の経過まで、或いは、終了ボタン８３が押下されるまで、以上の処理が繰り返し実行される。
【０１５２】
一方、制御部１３１は、ステップＳ７８において、終了ボタン８３が押下されたと判定した場合、または、ステップＳ６９において、タイムアウトであると判定した場合、ステップＳ７９に進み、シール紙の分割数の選択画面を表示部７１に表示し、予め用意されているものの中から、シール紙の分割数を利用者に選択させる。利用者による選択に応じて、例えば、１枚のシール紙が４分割、８分割、１６分割などのように所定の数と大きさで分割され、そのそれぞれに落書き済みの画像が印刷される。
【０１５３】
分割数が選択されたとき、ステップＳ８０に進み、制御部１３１は、落書き済みの画像のデータを、利用者により選択された分割数を指定する情報とともに、通信部１３３から写真シール自販機１に送信し、落書き済みの画像の印刷を要求する。
【０１５４】
ステップＳ８１において、制御部１３１は、写真シール自販機１に対して印刷状況を問い合わせ、ステップＳ８２に進み、問い合わせに応じて写真シール自販機１から送信される、そのときの印刷状況を表す情報に基づいて、送信した落書き済みの画像の印刷が既に開始されているか否かを判定する。
【０１５５】
ステップＳ８２において、印刷が開始されていないと判定した場合、ステップＳ８３に進み、制御部１３１は、表示部７１に所定のゲームの画面を表示させ、時間待ちゲームを利用者に提供する。これによって、シール紙を受け取るまでの時間を退屈させるといったことを防止することができる。その後、処理はステップＳ８１に戻り、それ以降の処理が実行される。
【０１５６】
一方、ステップＳ８２において、送信した落書き済みの画像の印刷が既に開始されていると判定した場合、ステップＳ８４に進み、制御部１３１は、例えば、「落書きパネルを返却して、No．ｎからシールを取ってね」などの、落書きパネル３１の返却を指定するとともに、印刷されたシール紙を受け取ることができる取出口２２を指定するメッセージを含む案内画面を表示部７１に表示する。このとき、写真シール自販機１では、落書きパネル３１が返却されるまで、取出口２２の開閉扉２３が閉じた状態にされる（図１０のステップＳ３５）。
【０１５７】
ステップＳ８５において、制御部１３１の時間管理部１３１Ａは、落書きパネル３１の返却時間の管理を開始する。例えば、所定の時間が経過しても落書きパネル３１が写真シール自販機１の着脱部２１に装着されずに返却されない場合、落書きパネル３１からは、落書きパネル３１の返却を催促する警報が出力されるようになされている（後述するステップＳ８８）。
【０１５８】
なお、このとき、例えば、返却先の着脱部２１の番号が表示部７１に表示されたり、返却先の着脱部２１の近傍に設けられているランプが点滅するなどして、利用者に、落書きパネル３１の返却先が案内されるようにしてもよい。
【０１５９】
時間管理部１３１Ａは、ステップＳ８６において、落書きパネル３１が返却されたか否かを判定し、返却されていないと判定した場合、ステップＳ８７に進み、タイムアウトか否か、すなわち、返却時間の管理を開始してから所定の時間が経過したか否かを判定する。
【０１６０】
ステップＳ８７において、時間管理部１３１Ａは、返却時間の管理を開始してから所定の時間が経過していないため、タイムアウトでないと判定した場合、ステップＳ８６に戻り、それ以降の処理を実行し、一方、タイムアウトであると判定した場合、ステップＳ８８に進む。
【０１６１】
ステップＳ８８において、制御部１３１は、例えば、「時間切れ。落書きパネルを返却してください」などの、落書きパネル３１の返却を催促する警報を表示部７１に表示させる。その後、ステップＳ８６に戻り、それ以降の処理が実行される。従って、落書きパネル３１が返却されるまで、警報が表示され続けることになる。
【０１６２】
ステップＳ８６において、制御部１３１は、例えば、コネクタ１３５による接続状況に基づいて、落書きパネル３１が着脱部２１に装着され、返却されたと判定した場合、ステップＳ８９に進み、例えば、「See You Again!」などのメッセージを含む終了画面を表示させ、落書き処理を終了させる。なお、落書きパネル３１が返却されたとき、写真シール自販機１では、取出口２２の開閉扉２３が開いた状態にされ（図１０のステップＳ４０）、落書き済みの画像が印刷されたシール紙を利用者が取り出すことができるようにされる。
【０１６３】
次に、図１４のフローチャートを参照して、警報の出力を制御する落書きパネル３１の処理について説明する。
【０１６４】
この処理は、例えば、図１１乃至図１３を参照して説明した落書き処理が実行されている間、所定の周期で繰り返し実行される。
【０１６５】
ステップＳ１０１において、制御部１３１は、例えば、通信部１３３において受信される、写真シール自販機１から送信される電波の強度に基づいて、落書き許容範囲（図２の落書き空間）の外に落書きパネル３１が持ち出されたか否かを判定する。すなわち、ここでは、所定の閾値以上の強度の電波が受信されている場合には、落書き許容範囲内に落書きパネル３１があるものとされ、その閾値以下の強度の電波しか受信されていない場合には、落書き許容範囲外に落書きパネル３１が持ち出されたものとされる。
【０１６６】
当然、写真シール自販機１が設置されているゲームセンタの出入り口付近に用意される防犯用装置から送信される電波が受信されたときに、落書き許容範囲外に持ち出されたものとされるように、様々な方法により、落書き許容範囲から外に持ち出されたか否かが判定されるようにしてもよい。
【０１６７】
制御部１３１は、ステップＳ１０１において、落書き許容範囲の外に落書きパネル３１が持ち出されたと判定するまで待機し、持ち出されたと判定した場合、ステップＳ１０２に進み、例えば、「持ち出さないで！」などのメッセージを含む警告画面を表示部７１に表示させる。また、このとき、スピーカ１３２からも、所定の警報音、メッセージに対応する音声が出力される。
【０１６８】
その後、処理はステップＳ１０１に戻り、以上の処理が繰り返し実行される。以上の処理が、落書きパネル３１が貸し出されている間繰り返し実行されるため、写真シール自販機１の周囲に設定される、落書き許容範囲から落書きパネル３１が持ち出されることを防止することができる。
【０１６９】
以上においては、落書きパネル３１からのみ、その持ち出しを防止するための警報が出力されるとしたが、落書きパネル３１から出力される電波の受信状況に基づいて、落書き許容範囲から落書きパネル３１が持ち出されたことを検出することに応じて、上述したような警報が写真シール自販機１から出力されるようにしてもよい。当然、写真シール自販機１と落書きパネル３１の両方から出力されるようにしてもよい。
【０１７０】
ところで、上述したように、落書きを行っている利用者は、料金追加装置６１に所定の料金を追加することで、その落書きの残り時間を延長させることができる。
【０１７１】
次に、図１５のフローチャートを参照して、落書きの残り時間を延長する料金追加装置６１の処理について説明する。
【０１７２】
ステップＳ１１１において、料金追加装置６１は、その表示部にデモ画面を表示させる。デモ画面には、料金を追加することで、落書きの残り時間を延長させることができることを通知するメッセージなどが表示される。
【０１７３】
料金追加装置６１は、ステップＳ１１２において、料金追加装置６１の所定の位置に設けられているコイン投入口に料金が追加されたか否かを判定し、料金が追加されたと判定するまで、デモ画面を表示し続ける。また、料金が追加されたと判定した場合、料金追加装置６１は、落書きの残り時間を延長する落書きパネル３１（残り時間を延長させたい利用者が利用している落書きパネル３１）を選択させる選択画面を表示する。すなわち、選択画面には、例えば、そのとき貸し出されている（落書きに使用されている）落書きパネル３１の識別番号などが一覧表示されるため、落書きの残り時間を延長させたい利用者は、自分が使用している落書きパネル３１の番号を、その選択画面から選択する。
【０１７４】
選択画面において、所定の落書きパネル３１の番号が選択されたとき、ステップＳ１１４に進み、料金追加装置６１は、時間延長処理を行う。ここでは、例えば、時間延長処理として、写真シール自販機１と落書きパネル３１に対して、料金が追加されたことを通知する料金追加情報が送信される。
【０１７５】
料金が追加されたときに料金追加装置６１から送信される料金追加情報には、例えば、料金が追加されたことを表す情報とともに、落書きの残り時間を延長する落書きパネル３１の識別番号も含まれている。
【０１７６】
なお、ここでは、選択画面から、利用している落書きパネル３１を利用者に選択させることで残り時間を延長する落書きパネル３１を識別するとしたが、例えば、利用者に、自分が使用している落書きパネル３１を料金追加装置６１の所定の位置に設けられる着脱部に装着させ、その後、料金を追加させるようにしてもよい。この場合、着脱部に落書きパネル３１が装着されたときに、落書きパネル３１から、その識別番号が料金追加装置６１に送信されるようにすることにより、料金追加装置６１は、どの利用者が料金を追加したのかを識別することができる。当然、他の様々な方法により、料金を追加した利用者を識別するようにしてもよい。
【０１７７】
次に、図１６のフローチャートを参照して、落書きの残り時間を延長させる写真シール自販機１の処理について説明する。
【０１７８】
この処理は、貸し出されている落書きパネル３１がある場合、上述した撮影処理や印刷処理と並行して実行される。
【０１７９】
ステップＳ１２１において、制御装置１０１は、通信部５２からの出力に基づいて、料金追加装置６１から、追加料金が支払われたことを表す料金追加情報が送信されてきたか否かを判定し、送信されてきたと判定するまで待機する。
【０１８０】
ステップＳ１２１において、制御装置１０１は、料金追加装置６１から、追加料金が支払われたことを表す料金追加情報が送信されてきたと判定した場合（図１５のステップＳ１１４の処理により料金追加情報が送信された場合）、ステップＳ１２２に進み、その利用者の落書きの残り時間を延長する。具体的には、制御装置１０１は、写真シール自動販売機１の落書きパネル管理ＤＢ１０５Ａの更新などを行う。その後、処理はステップＳ１２１に戻り、それ以降の処理が繰り返し実行される。以上の処理により、写真シール自販機１により、落書きの残り時間が延長されて管理される。
【０１８１】
次に、図１７のフローチャートを参照して、落書きの残り時間を延長させる、落書きパネル３１の処理について説明する。
【０１８２】
図１７の処理は、図１６を参照して説明した写真シール自販機１の処理と同様の処理である。すなわち、ステップＳ１３１において、制御部１３１は、通信部１３３からの出力に基づいて、料金追加装置６１から料金追加情報が送信されてきたか否かを判定し、送信されてきたと判定するまで待機する。制御部１３１は、ステップＳ１３１において、料金追加情報が送信されてきたと判定した場合（図１５のステップＳ１１４の処理により料金追加情報が送信された場合）、ステップＳ１３２に進み、追加された料金に対応する時間だけ、時間管理部１３１Ａにより管理されている落書きの残り時間を延長させる。その後、処理はステップＳ１３１に戻り、それ以降の処理が繰り返し実行される。
【０１８３】
これにより、利用者は、落書きの残り時間を延長させて、撮影画像の落書きを行うことができる。また、料金追加装置６１が、例えば、落書きを行う利用者のために用意された椅子やテーブルなどがある場所の近傍に設けられている場合、その椅子で落書きをしている利用者は、落書きの残り時間の延長を容易に行うことができる。
【０１８４】
なお、以上においては、料金を追加するための専用の装置（料金追加装置６１）が用意されるとしたが、料金の追加は、写真シール自販機１の着脱部２１に一度返却した状態で、写真シール自販機１の側面などに設けられた追加料金の投入口に所定の金額を投入することで行われるようにしてもよい。
【０１８５】
（実施の形態２）
図１８は、本発明を適用した写真シール自販機１を、その上方から示す他の図である。図１８において、図２と同一の部分には同一の符号を付してある。
【０１８６】
図１８の写真シール自販機１においては、図１のモニタ１３が設けられる代わりに、その位置に、利用者が貸出しカウンタ１５１で受け取った落書きパネル３１を装着する着脱部１６１が設けられている。着脱部１６１には、コネクタが設けられており、装着された落書きパネル３１のコネクタ１３５を介して、制御装置１０１と落書きパネル３１の制御部１３１との間で通信を行うことができるようになされている。例えば、落書きパネル３１が着脱部１６１に装着されたとき、落書きパネル３１の識別情報が制御装置１０１に通知され、落書きパネル３１の状態管理に用いられる。
【０１８７】
貸出しカウンタ１５１で、例えば、ゲームセンタの店員から落書きパネル３１−１を受け取った利用者は、それを持った状態で、出入り口から撮影空間に入り、白抜き矢印で示されるように、着脱部１６１に落書きパネル３１−１を装着する。着脱部１６１に装着した落書きパネル３１−１の表示部７１には、写真シール自販機１の制御装置１０１からの制御に基づいて、撮影方法の案内や各種の選択ボタンが表示されるため、利用者は、その表示に従って撮影を行う。
【０１８８】
すなわち、図１８の例においては、落書きパネル３１−１は、図１のモニタ１３と同様の機能をも有しており、撮影時にも利用される。
【０１８９】
撮影を終了したとき、利用者は、落書きパネル３１−１を装着部１６１から取り外し、撮影空間から出た後、図２の場合と同様に、落書き空間の範囲内で、落書きパネル３１−１にて落書きを行う。この例においても、撮影後、撮影画像が落書きパネル３１−１に有線または無線で転送され、落書き画面が表示される。
【０１９０】
落書き済みの画像は、写真シール自販機１に送信され、図２の場合と同様にシール紙に印刷され、利用者に提供される。利用者は、シール紙を受け取った後、貸し出しカウンタ１５１にいる店員に落書きパネル３１−１を返却し、一連の遊技を終了させる。
【０１９１】
すなわち、図１８の例においては、利用者は、貸し出しカウンタ１５１で落書きパネル３１を借りた後は、それを返すまで、落書きパネル３１−１を持ち歩いて撮影と落書きを行うことになる。
【０１９２】
これによっても、図２の場合と同様に、十分な落書き時間を確保することができるとともに、利用者の回転率を向上させることができる。また、利用者は、落書き空間の範囲内で、自由な場所に移動して落書きを行うことができる。
【０１９３】
なお、図１８において、写真シール自販機１の利用料金の支払いは、図２の場合と同様に利用者が所定の金額をコイン投入口１５に投入することで行われるようにしてもよいし、貸し出しカウンタ１５１において、落書きパネル３１−１の貸し出し時、または、返却時に行われるようにしてもよい。また、図１８の例においても、上述した図２の場合と同様に、落書きの残り時間の延長などが行われる。さらに、利用料金は、利用時間の長短に応じた料金と、シール印刷枚数に応じた料金を併せたものとしてもよい。この場合、利用料金は、例えば、落書きパネル３１の画面上隅などに表示されていることが好ましい。利用料金の表示は、例えば、利用時間に応じて、或いは、シール印刷枚数に応じて更新される。
【０１９４】
ここで、図１８の写真シール自販機１および落書きパネル３１の動作について説明する。
【０１９５】
始めに、図１９のフローチャートを参照して、写真シール自販機１の撮影処理について説明する。
【０１９６】
ステップＳ１４１において、写真シール自販機１の制御装置１０１は、着脱部１６１の状態を監視し、落書きパネル３１が装着されたか否かを判定する。制御装置１０１は、落書きパネル３１が装着されたと判定するまで待機し、装着されたと判定した場合、ステップＳ１４２に進む。
【０１９７】
ステップＳ１４２において、制御装置１０１は、撮影時間の計測を開始し、ステップＳ１４３に進み、着脱部１６１に装着された落書きパネル３１の表示部７１に、撮影画面を表示させる。撮影画面には、上述したモニタ１３に表示される画面と同様に、カメラ１１により取り込まれている画像などがリアルタイム表示される。
【０１９８】
ステップＳ１４４において、制御装置１０１は、タイムアウトか否か、すなわち、ステップＳ１４２で計測を開始した撮影時間が、所定の制限時間を経過したか否かを判定し、タイムアウトでないと判定した場合、ステップＳ１４５に進み、利用者からの指示に従って撮影を行う。このとき撮影された撮影画像は、記憶装置１０５に保存される。
【０１９９】
制御装置１０１は、ステップＳ１４６において、撮影終了ボタンが押下されたか、または、残りの撮影枚数が０になったか否かを判定し、終了ボタンが押下されておらず、残りの撮影枚数が０でもないと判定した場合、ステップＳ１４３に戻り、それ以降の処理を繰り返し実行する。
【０２００】
制御装置１０１は、ステップＳ１４６において、終了ボタンが押下されたと判定した場合、または、残りの撮影枚数が０であると判定した場合、ステップＳ１４７に進む。また、制御装置１０１は、ステップＳ１４４において、タイムアウトであると判定した場合も、ステップＳ１４７に進む。この場合、ステップＳ１４５およびＳ１４６の処理はスキップされる。
【０２０１】
ステップＳ１４７において、制御装置１０１は、記憶装置１０５に記憶されている撮影画像（撮影画像１０５Ｄ）を落書きパネル３１に転送する。この転送は、通信部５２から無線通信を介して行われるようにしてもよいし、着脱部１６１に設けられるコネクタを介して行われるようにしてもよい。
【０２０２】
ステップＳ１４８において、制御装置１０１は、全ての撮影画像の転送が終了したか否かを判定し、終了していないと判定した場合、ステップＳ１４７に戻り、撮影画像の転送を続行する。また、制御装置１０１は、ステップＳ１４８において、全ての撮影画像の転送が終了したと判定した場合、撮影処理を終了させる。
【０２０３】
その後、利用者は、着脱部１６１から落書きパネル３１を取り外し、撮影空間から出て、落書き空間で撮影画像の落書きを行う。
【０２０４】
次に、図２０のフローチャートを参照して、写真シール自販機１の印刷処理について説明する。
【０２０５】
この処理は、基本的には、図１０を参照して説明した処理と同様であり、落書きパネル３１において利用者により作成された落書き済みの画像が送信されてきたときに実行される。
【０２０６】
ステップＳ１６１において、制御装置１０１は、通信部５２を制御し、落書きパネル３１から送信される落書き済みの画像を受信し（後述する、図２３のステップＳ２０２の処理により送信される落書き済みの画像を受信し）、ステップＳ１６２において、画像の受信が完了したか否かを判定する。
【０２０７】
制御装置１０１は、ステップＳ１６２において、落書き済みの画像の受信が完了していないと判定した場合、ステップＳ１６１に戻り、その受信を続行し、一方、受信が完了したと判定した場合、ステップＳ１６３に進む。
【０２０８】
制御装置１０１は、ステップＳ１６３において、印刷キュー記憶部１０５Ｂに記憶されている印刷キューを参照し、転送されてきた落書き済みの画像の印刷が直ちに実行可能であるか否かを判定し、可能であると判定するまで待機する。
【０２０９】
制御装置１０１は、ステップＳ１６３において、印刷が可能であると判定した場合、ステップＳ１６４に進み、印刷済みのシール紙が排出される予定の取出口の開閉扉２３を閉じた状態とし、ステップＳ１６５において、プリンタ５１に落書き済みの画像を転送し、シール紙に印刷させる。
【０２１０】
印刷が終了したとき、ステップＳ１６６において、制御装置１０１は、どの利用者の組のシールが排出されたのかを明確に示すため、取出口２２付近に取り付けられているLED(Light Emitting Diode)などにより、その組に貸し出されていた落書きパネル３１の識別番号などを表示する。
【０２１１】
ステップＳ１６７において、制御装置１０１は、利用者に提供するシール紙が排出された取出口２２の開閉扉２３を開けた状態とし、ステップＳ１６８において、シール紙が取出口２２から取り出されたか否かを判定する。制御装置１０１は、ステップＳ１６８において、シール紙が取り出されたと判定するまで待機し、取り出されたと判定した場合、印刷処理を終了させる。
【０２１２】
以上のようにして、落書き済みの画像が印刷されたシール紙が利用者に提供される。
【０２１３】
次に、図２１乃至図２３のフローチャートを参照して、落書きパネル３１により行われる撮影・落書き処理について説明する。
【０２１４】
上述したように、図１８の例においては、貸し出しカウンタ１５１で利用者に貸し出された落書きパネル３１は、撮影空間で行われる撮影においても用いられる。従って、図２１乃至図２３の処理は、撮影時の処理が付加される点を除いて、基本的には、図１１乃至図１３を参照して説明した処理と同様である。
【０２１５】
ステップＳ１８１において、利用者に貸し出された落書きパネル３１の制御部１３１は、表示部７１を制御し、デモ画面を表示するか、または、表示部７１のバックライトをオフとし非表示にする。デモ画面が表示される場合、ここでは、例えば、「撮影から始めてね」などのメッセージを含む画面が表示される。
【０２１６】
ステップＳ１８２において、制御部１３１は、コネクタ１３５の状態を監視し、写真シール自販機１の着脱部１６１に装着されたか否かを判定し、装着されたと判定するまで、ステップＳ１８１に戻り、デモ画面の表示などを続ける。なお、このとき、デモ画面に代えて撮影方法や落書き方法などの説明が表示部７１に表示されるようにしてもよい。これにより、例えば、先に撮影を行っている利用者がいるため、撮影待ちをする必要がある場合でも、その間、利用者は、撮影方法などを確認することができる。
【０２１７】
制御部１３１は、ステップＳ１８２において、着脱部１６１（本体）に装着されたと判定した場合、ステップＳ１８３に進み、写真シール自販機１の制御装置１０１からの制御に基づいて、カメラ１１による取り込み画像などが表示される撮影画面を表示部７１に表示させる。
【０２１８】
その後、図１９を参照して説明した処理により撮影が行われ（ステップＳ１４５）、撮影が終了した後、写真シール自販機１から落書きパネル３１に対して撮影画像が転送される（ステップＳ１４７）。
【０２１９】
ステップＳ１８４において、制御部１３１は、通信部１３３からの出力に基づいて、写真シール自販機１から撮影画像が転送されてきたか否かを判定し、転送されてきたと判定するまで待機する。制御部１３１は、ステップＳ１８４において、写真シール自販機１から撮影画像が転送されてきたと判定した場合、ステップＳ１８５に進む。
【０２２０】
ステップＳ１８５以降の処理は、図１１のステップＳ６３以降の処理と同様である。すなわち、ステップＳ１８５において、写真シール自販機１から転送されてきた撮影画像が受信され、ステップＳ１８６において、その全ての受信が完了したと判定された場合、ステップＳ１８７に進み、落書き時間の管理が開始される。
【０２２１】
このとき、着脱部１６１から落書きパネル３１を取り外すことが可能とされるため、それを取り出すまでは撮影画像の一部のみが表示され（ステップＳ１８８）、取り外されたと判定された場合（ステップＳ１８９）、ステップＳ１９０において、落書き画面が表示される。
【０２２２】
ステップＳ１９１において、時間管理部１３１Ａにより、タイムアウトか否かが判定され、タイムアウトであると判定された場合には、後述する分割数の選択画面が表示され（ステップＳ２０１）、タイムアウトでないと判定された場合、落書きの残り時間が、例えば、３０秒より短いか否かが判定される（ステップＳ１９２）。
【０２２３】
ステップＳ１９２において、落書きの残り時間が３０秒より長いと判定された場合、落書き処理が実行され（ステップＳ１９９）、一方、短いと判定された場合、ステップＳ１９３に進み、写真シール自販機１に対する、印刷状況の問い合わせが行われる。
【０２２４】
ステップＳ１９４において、問い合わせの結果に基づいて、すぐに印刷を行うことが可能であると判定された場合、落書きの終了を催促するメッセージが表示された後（ステップＳ１９５）、印刷の予約が設定され（ステップＳ１９６）、一方、すぐに印刷を行うことができないと判定された場合、落書きの残り時間を延長することを通知するメッセージが表示された後（ステップＳ１９７）、落書きの残り時間が、例えば、１０秒だけ延長される（ステップＳ１９８）。
【０２２５】
ステップＳ１９９において、利用者による入力に従って撮影画像の落書きが行われ、ステップＳ２００に進み、終了ボタン８３が押下されたか否かが判定される。ステップＳ２００において、終了ボタンが押下されていないと判定された場合には、ステップＳ１９１に戻り、それ以降の処理が繰り返し実行され、一方、終了ボタン８３が押下されたと判定した場合、ステップＳ２０１に進み、シール紙の分割数が利用者により選択される。分割数が選択されたとき、ステップＳ２０２において、落書き済みの画像のデータが、分割数を指定する情報とともに写真シール自販機１に対して送信され、落書き済みの画像の印刷が行われる。
【０２２６】
ステップＳ２０３において、写真シール自販機１に対して印刷状況の問い合わせが行われ、その問い合わせ結果に基づいて、ステップＳ２０４において、落書き済みの画像の印刷が既に開始されているか否かが判定される。ステップＳ２０４において、印刷が開始されていないと判定された場合には、ステップＳ２０５に進み、所定の時間待ちゲームが利用者に提供され、一方、印刷が開始されていると判定された場合、ステップＳ２０６に進み、シール紙を受け取ることができる取出口２２を指定する案内画面が表示される。その後、ステップＳ２０７において、所定の終了画面が表示され、処理が終了される。
【０２２７】
以上の処理により写真シール自販機１により落書き済みの画像が印刷されたシール紙を受け取った利用者は、落書きパネル３１を貸し出しカウンタ１５１に返却し、一連の遊技を終了させる。或いは、撮影、落書き、印刷の一連の遊技を、複数回繰り返すことができるようにしてもよい。
【０２２８】
以上のように、落書きパネル３１を貸し出しカウンタ１５１で利用者に貸し出し、シール紙を受け取った後に貸し出しカウンタ１５１に返却させるようにすることにより、写真シール自販機１は、図２の例とは異なり、落書きパネル３１の貸し出し状況を管理する必要がない。すなわち、写真シール自販機１は、単に、撮影して得られた画像を落書きパネル３１に転送するとともに、落書きパネル３から転送されてきた落書き済みの画像を順次印刷するだけでよいため、写真シール自販機１の処理負担を軽減させることができる。
【０２２９】
また、利用時間、シール印刷枚数に応じた料金を落書きパネル３１で計算し、その料金の精算を、貸し出しカウンタ１５１で行うようにしてもよい。この場合、写真シール自販機１にコイン投入口１５は必要なく、コイン回収の手間を省くことができる。
【０２３０】
（実施の形態３）
図２４は、本発明を適用した写真シール自販機１を、その上方から示すさらに他の図である。図２４において、図１８と同一の部分には同一の符号を付している。
【０２３１】
図２４の写真シール自販機１には、プリンタが内蔵されておらず、その代わりに、貸し出しカウンタ１５１で貸し出された落書きパネル３１のそれぞれにプリンタが内蔵されている。従って、写真シール自販機１においては、撮影のみが行われ、その後の落書きと印刷は、落書きパネル３１において行われる。図２４の例においては、落書きパネル３１−１にプリンタ１７１−１が、落書きパネル３１−２にはプリンタ１７１−２がそれぞれ内蔵されている。
【０２３２】
落書き済み画像の印刷時には、利用者は、例えば、写真シール自販機１の近傍に設置されている、シール紙専用の自動販売機（図示せず）で購入したシール紙や、落書きパネル３１とともに貸出しカウンタ１５１で受け取ったシール紙を、落書きパネル３１のプリンタに装填し、印刷を行う。そのようにして印刷されたシール紙を受け取った利用者は、落書きパネル３１を貸し出しカウンタ１５１に返却し、一連の遊技を終了させる。
【０２３３】
このように、写真シール自販機１では、単に、撮影のみが行われるようにし、その後の落書きや印刷が落書きパネル３１において行われるようにすることで、写真シール自販機１の処理負担を軽減させることができるとともに、写真シール自販機１を、より小型の装置として形成することができる。すなわち、写真シール自販機１は、撮影と、その撮影結果を送信する機能のみを少なくとも有していればよい。従って、装置を小型化することができることから、より狭いスペースに、写真シール自販機１を設置することが可能となる。
【０２３４】
また、この場合、印刷も、自由な時間でそれぞれの落書きパネル３１において行うことができることから、複数枚のシール紙を購入した利用者は、そのそれぞれに落書き済みの画像を印刷することができるようにしてもよい。
【０２３５】
ここで、図２５および図２６のフローチャートを参照して、落書きパネル３１の撮影・落書き・印刷処理について説明する。なお、写真シール自販機１の処理は、単に、落書きパネル３１が着脱部１６１に装着されることに応じて撮影を行い、その撮影画像を落書きパネル３１に転送させるだけのものであるため、ここでは、その詳細な説明は省略する。
【０２３６】
ステップＳ２２１乃至Ｓ２２９は、図２１のステップＳ１８１乃至Ｓ１８９の処理と同様の処理である。例えば、貸し出しカウンタ１５１で貸し出されたときには、落書きパネル３１にデモ画面が表示されており（ステップＳ２２１）、写真シール自販機１の着脱部１６１に装着されたとき、撮影方法などを案内する撮影画面が表示される（ステップＳ２２３）。
【０２３７】
その後、撮影空間での撮影が行われ、写真シール自販機１から転送されてきた撮影画像が受信され（ステップＳ２２５）、撮影画像の受信が完了したとき、落書き時間の管理が開始され（ステップＳ２２７）、撮影画像の一部が表示される（ステップＳ２２８）。落書きパネル３１が写真シール自販機１の着脱部１６１から取り外されたとき、表示部７１に落書き画面が表示される（ステップＳ２３０）。
【０２３８】
ステップＳ２３１において、時間管理部１３１Ａは、落書きが開始されてからの時間が制限時間を経過したか否かを判定し、経過していないと判定した場合、ステップＳ２３２に進み、残り時間が、例えば、３０秒より短いか否かを判定する。
【０２３９】
ステップＳ２３２において、時間管理部１３１Ａは、落書きの残り時間が３０秒より短いと判定した場合、ステップＳ２３３に進み、落書きの終了を催促するメッセージを表示して、ステップＳ２３４において、利用者からの入力に基づく落書き処理を実行する。一方、ステップＳ２３２において、落書きの残り時間が３０秒より長いと判定された場合、ステップＳ２３３の処理はスキップされる。落書き済みの画像の印刷も、落書きパネル３１により行われるため、ここでは、上述したような、印刷状況の問い合わせ（図２２のステップＳ１９３）や、印刷の予約（ステップＳ１９６）等の処理は行われない。
【０２４０】
ステップＳ２３５において、制御部１３１は、終了ボタン８３が押下されたか否かを判定し、終了ボタン８３が押下されていないと判定した場合、ステップＳ２３１に戻り、一方、終了ボタン８３が押下されたと判定した場合、ステップＳ２３６に進み、シール紙の分割数を利用者に選択させる。
【０２４１】
制御部１３１は、ステップＳ２３７において、プリンタ１７１にシール紙がセットされているか否かを判定し、セットされていないと判定した場合、ステップＳ２３８に進み、シール紙をセットすることを案内する画面を表示部７１に表示させる。
【０２４２】
ステップＳ２３７において、制御部１３１は、シール紙がセットされていると判定した場合、ステップＳ２３９に進み、落書き済みの画像をシール紙に印刷させる。その印刷が終了したとき、制御部１３１は、ステップＳ２４０において、終了画面を表示させ、処理を終了させる。
【０２４３】
以上の処理によりシール紙を受け取った利用者は、落書きパネル３１を貸し出しカウンタ１５１に返却し、一連の遊技を終了させる。
【０２４４】
以上のように、落書きパネル３１にプリンタを内蔵させることによって、落書き時間をより長く確保することができるとともに、写真シール自販機１を小型の装置とすることができる。
【０２４５】
なお、図２４の例においては、落書きパネル３１にプリンタが内蔵されているとしたが、落書き済みの画像の印刷のみを行う、印刷専用の装置が、落書き空間の所定の位置に設置されているようにしてもよい。この場合、落書きパネル３１を利用して撮影画像に落書きを施した利用者は、その落書きを終了したとき、落書き済みの画像をその印刷専用の装置に有線（コネクタ１３５）を介して、または無線を介して送信し、落書き済みの画像の印刷を要求する。
【０２４６】
このように、印刷専用の装置を別に設けることによっても、落書き時間を十分に確保することができるとともに、写真シール自販機１を小型の装置とすることができる。
【０２４７】
以上においては、１組の利用者に対しては、１つの落書きパネル３１のみが貸し出されるとして説明したが、１組の利用者に対して複数の落書きパネル３１が貸し出されるようにしてもよい。例えば、図１の写真シール自販機１において、１組の利用者に対する複数の落書きパネル３１の貸し出しは、撮影後に追加料金が支払われたとき、或いは、落書き時間を短縮する代わりに、複数の落書きパネル３１の貸し出しが要求されたときなどに可能とされる。
【０２４８】
例えば、料金が追加され、複数の落書きパネル３１が貸し出されたとき、図２７に示されるように、それぞれの落書きパネル３１に対して特別な落書きツールが配信され、利用可能とされるようにしてもよい。ここで、特別な落書きツールとは、１組の利用者に１つの落書きパネル３１が貸し出された場合には利用できないツールのことであって、例えば、より凝った落書きが可能となるスタンプツール、ペンツールなどとされる。
【０２４９】
次に、図２８のフローチャートを参照して、図１の写真シール自販機１により行われる、落書きパネル３１の貸し出し処理について説明する。
【０２５０】
図１の写真シール自販機１により行われる撮影処理（落書きパネル３１の貸し出しも含む処理）については、図８及び図９を参照してその詳細を説明したため、ここでは、複数の落書きパネル３１を貸し出す処理について主に説明する。
【０２５１】
ステップＳ２５１において、制御装置１０１は、利用者からの指示に従って撮影処理を行い（図８のステップＳ１３に対応する処理）、ステップＳ２５２に進み、落書きパネル管理DB１０５Ａを参照し、撮影を終えた利用者に貸し出すことが可能な最大の落書きパネル３１の枚数（落書きパネル３１の数）を決定する。
【０２５２】
例えば、その状態として、図５の「１：“貸出可能”」が設定されている落書きパネル３１が多数ある場合、より多い枚数の落書きパネル３１を貸し出すことが可能となるように、最大の枚数が決定される。従って、逆に、「１：“貸出可能”」が設定されている落書きパネル３１が１つしかない場合、複数の落書きパネル３１を貸し出すことは不可能とされる。
【０２５３】
ステップＳ２５３において、制御装置１０１は、例えば、「複数パネルを利用したいときは、追加料金を入れてね！追加貸し出し１枚につき￥１００」などのメッセージを含む案内画面をモニタ１３に表示させる。また、そのメッセージの側には、ステップＳ２５２で決定された枚数（Ｘ枚）を利用者に提示する、「最大Ｘ枚まで」などのメッセージも表示される。
【０２５４】
この表示に応じて、利用者は、適宜、追加料金をコイン投入口１５に投入する。
【０２５５】
ステップＳ２５４において、制御装置１０１は、硬貨処理部１０４からの出力に基づいて、料金が追加されたか否かを判定し、追加されていないと判定した場合、ステップＳ２５５に進み、利用者に貸し出す落書きパネル３１を指定する案内画面をモニタ１３に表示させる。すなわち、料金が追加されていないため、ここで表示される案内画面には、１組の利用者に対して１つの落書きパネル３１が貸し出される場合と同様に、例えば、「No．ｎの落書きパネルを使ってね」などのメッセージが表示される。
【０２５６】
一方、ステップＳ２５４において、料金が追加されたと判定した場合、制御装置１０１は、ステップＳ２５６に進み、料金が追加されたことを通知する、例えば、「パネルの貸し出し（合計２枚）を受け付けました！」などのメッセージを含む案内画面をモニタ１３に表示させる。また、制御装置１０１は、ステップＳ２５７に進み、貸し出す落書きパネル３１を指定する案内画面をモニタ１３に表示させる。例えば、２台の落書きパネル３１が貸し出される場合、ここでは、「No．ｎとNo．ｎ’の落書きパネルを使ってね」などのメッセージが表示される。
【０２５７】
ステップＳ２５８において、貸し出される落書きパネル３１の電磁式ロックが解除され、着脱部２１から落書きパネル３１を取り外すことが可能となる。なお、このとき、貸し出される複数の落書きパネル３１の状態として、「３：“貸出待ち”」が設定される。
【０２５８】
利用者は、案内に従って、複数の落書きパネル３１を取り外し、特別な落書きツールを使うなどして、撮影画像の落書きを行う。撮影画像の落書きが終了したとき、利用者は、利用した落書きパネル３１を写真シール自販機１に返却するが、その返却のときには、適宜、上述したような、返却を催促する警報なども落書きパネル３１に表示される。
【０２５９】
以上のように、１組の複数の利用者が、それぞれに貸し出された落書きパネル３１を用いて落書きを行うことができるため、利用者は、１つの落書きパネル３１に表示されている画像に対して複数の利用者が交代しながら落書きを施す場合に較べて、同時並行で効率的に落書きを行うことができる。すなわち、利用者１人あたりの落書きプレイ体感時間が長くなる。このことは、１組の人数が多いほど、特に顕著なものとなる。また、１組あたりの落書きパネル３１の利用時間を減らすことができ、利用者および落書きパネル３１の回転率を向上させることができる。
【０２６０】
なお、以上においては、料金が追加されたときに、複数の落書きパネル３１が貸し出される場合について説明したが、複数の落書きパネル３１の貸し出しが要求された場合、その落書き時間は、例えば、通常の落書き時間（１枚のみの貸し出し時の落書き時間）を、貸し出す枚数で除算した短縮された時間とされる。例えば、通常の落書き時間が４分である場合において、２枚の落書きパネル３１が貸し出されたとき、そのそれぞれの落書きパネル３１での落書き時間は２分（＝４／２（分／枚））ずつとされる。
【０２６１】
また、このように複数の落書きパネル３１が貸し出された場合、その落書きパネル３１の間では、落書き済みの画像や落書きツールの交換、或いは、片方の落書きパネル３１で行われた落書きが、他方の落書きパネル３１の画像に反映されるなどの処理が行われるようにしてもよい。この場合、図２７にも示されるように、複数の落書きパネル３１間で、写真シール自販機１を経由することなく、無線通信が直接行われるようにしてもよい。
【符号の説明】
【０２６２】
１  写真シール自販機  １１  カメラ  ３１−１，３１−２  落書きパネル  ５１  プリンタ  ５２  通信部  ６１  料金追加装置  ７１  表示部  １０１  制御装置  １０２  落書きパネル貸し出し／返却部  １０５  記憶装置  １３１  制御部  １３３  通信部
【図１】
0004788777.tif 000002
【図２】
0004788777.tif 000003
【図３】
0004788777.tif 000004
【図４】
0004788777.tif 000005
【図５】
0004788777.tif 000006
【図６】
0004788777.tif 000007
【図７】
0004788777.tif 000008
【図８】
0004788777.tif 000009
【図９】
0004788777.tif 000010
【図１０】
0004788777.tif 000011
【図１１】
0004788777.tif 000012
【図１２】
0004788777.tif 000013
【図１３】
0004788777.tif 000014
【図１４】
0004788777.tif 000015
【図１５】
0004788777.tif 000016
【図１６】
0004788777.tif 000017
【図１７】
0004788777.tif 000018
【図１８】
0004788777.tif 000019
【図１９】
0004788777.tif 000020
【図２０】
0004788777.tif 000021
【図２１】
0004788777.tif 000022
【図２２】
0004788777.tif 000023
【図２３】
0004788777.tif 000024
【図２４】
0004788777.tif 000025
【図２５】
0004788777.tif 000026
【図２６】
0004788777.tif 000027
【図２７】
0004788777.tif 000028
【図２８】
0004788777.tif 000029